(57)【要約】【課題】簡単な構成で、多層袋の底部の密封を自動で一連に行うことが出来る方法及びその装置を提供する。【解決手段】紙及びプラスチックシートから成る多層袋の底部の密封方法において、筒状の最内側のプラスチックの一端を熱融着により擬似接着する、擬似接着装置１と、当該擬似接着した箇所を外側から２回折り畳み、当該２重に折り畳まれた箇所及びその裏面をオーバーテープで一体に被冠する、二重折り・オーバーテープバインダー装置３との間に、タイミング調整装置２を並べて設け、当該タイミング調整装置２により、前記擬似接着装置１から順に出てきた多数の多層袋を、一定間隔を空けながら連続して、前記二重折り・オーバーテープバインダー装置３に供給する。【選択図】図１
2020152065.tif 000002
【特許請求の範囲】
【請求項１】
紙及びプラスチックシートから成る多層袋の底部の密封方法において、
筒状の最内側のプラスチックの一端を熱融着により擬似接着する、擬似接着装置と、当該擬似接着した箇所を外側から２回折り畳み、当該２重に折り畳まれた箇所及びその裏面をオーバーテープで一体に被冠する、二重折り・オーバーテープバインダー装置との間に、タイミング調整装置を並べて設け、当該タイミング調整装置により、前記擬似接着装置から順に出てきた多数の多層袋を、一定間隔を空けながら連続して、前記二重折り・オーバーテープバインダー装置に供給することを特徴とする、多層袋の底部密封方法。
【請求項２】
前記二重折り・オーバーテープバインダー装置において、袋の底部の２回目の折り畳み箇所の手前に、折り畳んだ箇所の形状を維持する折り曲げガイド片を設け、当該折り曲げガイド片を折り畳んだ箇所の上から被せ、その状態で袋の端部を下から折り曲げて起こし、袋の端部を直角に起こした状態で一定長を移動させ、その後に袋の端部を上から押さえ付けて、二重に折り畳むことを特徴とする、請求項１に記載の多層袋の底部密封方法。
【請求項３】
前記二重折り・オーバーテープバインダー装置において、二重折り後の多層袋の形状を維持して、オーバーテープのバインド工程に移送するに際して、多層袋の移送とともに回動する回動ベルトを設け、当該回動ベルトで、多層袋の移送と同期して二重折り箇所を上下から押さえながら多層袋を移送することを特徴とする、請求項１又は２に記載の多層袋の底部密封方法。
【請求項４】
前記二重折り・オーバーテープバインダー装置において、オーバーテープのバインド工程の直前に、袋の二重折り箇所の形状よりやや大きい細孔から成るゲートに、多層袋の二重折り箇所を通し、その直後にオーバーテープを袋の二重折り箇所に被冠することを特徴とする、請求項１〜３のいずれかに記載の多層袋の底部密封方法。
【請求項５】
紙及びプラスチックシートから成る多層袋の底部の密封装置において、
筒状の最内側のプラスチックの一端を熱融着により擬似接着する擬似接着装置と、当該擬似接着した箇所を外側から２回折り畳み、当該２重に折り畳まれた箇所及びその裏面をオーバーテープで一体に被冠する、二重折り・オーバーテープバインダー装置との間に、前記擬似接着装置から出てきた袋を、一定間隔を空けながら、多数の多層袋を連続して、前記二重折り・オーバーテープバインダー装置に供給する、タイミング調整器を並べて設け、
前記二重折り・オーバーテープバインダー装置において、多層袋の底部の２回目の折り畳み箇所の手前に、折り畳んだ箇所の形状を上から維持する折り曲げガイド片を設け、また、二重折り箇所の形状を維持してオーバーテープのバインド工程に移送する、多層袋の移送と同期して回動する回動ベルトを設け、オーバーテープのバインド工程の直前に、多層袋の二重折り箇所の形状よりやや大きい細孔から成るゲートを設け、これに前記多層袋の二重折り箇所を通す構成としたことを特徴とする、多層袋の底部密封装置。
【発明の詳細な説明】
【技術分野】
【０００１】
この発明は紙、プラスチックシート等を重ねた多層袋の底部を密封する方法及びその装置に関するものである。
【背景技術】
【０００２】
この種の多層袋は、食料品やペットフード等を詰めて開口部を密封する袋で、予め、筒状のクラフト紙や同じく筒状のポリエチレン等のプラスチックシートを、複数種類で複数枚重ねて一定長さで切断し、当該切断箇所を袋の底部として密封して、袋としている。
【０００３】
この様な多層袋の場合、最内側のブプラスチックシートの筒体の底部の一端を熱融着して擬似接着し、外側、内側の筒体の底部となる一端を一体に折り込み、この折り込んだ状態で、折り畳み部及びその裏面をオーバーテープで被冠して底部を密封した袋としており、当該袋に、例えば、ペットフードを入れ、開口部を塞ぎ、この状態で販売している。
【０００４】
そして、当該ペットフードを購入し、ペットフードを袋から取り出す場合、袋の底部の前記オーバーテープを切断し、折り込み部を開き、再内側のプラスチックシートを手で引っ張って広げると、擬似接着のため、容易に開封できる構成となっている。
【０００５】
この種の多層袋において、袋の底部の折込み箇所の密封をより厳重にして、臭い等が袋の外部に漏れないように、前記折込み箇所を二重折りにする多層袋が開発された。特許文献１のものは、袋の底部を二重に降り畳んだものである。
【先行技術文献】
【特許文献】
【０００６】
【特許文献１】実開平５−５８６４５号公報
【発明の開示】
【発明が解決しようとする課題】
【０００７】
しかしながら、この様な多層袋の底部を二重折りにして密封する方法において、自動的に製造する方法や装置は開発されていない。
【０００８】
従来の多層袋の底部の密封において、一つ折りの袋の製造方法及び装置に於いては、まず、最内側のプラスチックシートの熱融着による擬似接着を専用の機械で行い。その後、別途設けた、当該多層袋の底部の一端を折り畳み、オーバーテープで当該箇所を被冠する装置まで前記多層袋を持ってきて、当該装置で密封していた。従って、この種の多層袋の底部の密封に際して、前記擬似接着処理と折り畳み及びオーバーテープの被冠接着処理とを自動で一連に行う装置は開発されていない。
【０００９】
また、この種の多層袋は、クラフト紙やプラスチックシート等の多種類のシートから成るため、折り畳みにくく、さらにクラフト紙はやや剛性があり折り畳みにくい。ましてや特許文献１のように、二重に折り込む場合に、袋の折込み箇所がずれたりする恐れがある。また、プラスチックのシートと紙の接着もしにくい。
【００１０】
そこで、この発明は上述の課題を解決するため、簡単な構成で、多層袋の底部の密封を自動で一連に行うことが出来る方法及びその装置を提供することを目的としたものである。
【課題を解決するための手段】
【００１１】
請求項１の発明は、紙及びプラスチックシートから成る多層袋の底部の密封方法において、筒状の最内側のプラスチックの一端を熱融着により擬似接着する、擬似接着装置と、当該擬似接着した箇所を外側から２回折り畳み、当該２重に折り畳まれた箇所及びその裏面をオーバーテープで一体に被冠する、二重折り・オーバーテープバインダー装置との間に、タイミング調整装置を並べて設け、当該タイミング調整装置により、前記擬似接着装置から順に出てきた多数の多層袋を、一定間隔を空けながら連続して、前記二重折り・オーバーテープバインダー装置に供給する、多層袋の底部密封方法とした。
【００１２】
また、請求項２の発明は、前記二重折り・オーバーテープバインダー装置において、袋の底部の２回目の折り畳み箇所の手前に、折り畳んだ箇所の形状を維持する折り曲げガイド片を設け、当該折り曲げガイド片を折り畳んだ箇所の上から被せ、その状態で袋の端部を下から折り曲げて起こし、袋の端部を直角に起こした状態で一定長を移動させ、その後に袋の端部を上から押さえ付けて、二重に折り畳む、請求項１に記載の多層袋の底部密封方法とした。
【００１３】
また、請求項３の発明は、前記二重折り・オーバーテープバインダー装置において、二重折り後の多層袋の形状を維持して、オーバーテープのバインド工程に移送するに際して、多層袋の移送とともに回動する回動ベルトを設け、当該回動ベルトで、多層袋の移送と同期して二重折り箇所を上下から押さえながら多層袋を移送する、請求項１又は２に記載の多層袋の底部密封方法とした。
【００１４】
また、請求項４の発明は、前記二重折り・オーバーテープバインダー装置において、オーバーテープのバインド工程の直前に、袋の二重折り箇所の形状よりやや大きい細孔から成るゲートに、多層袋の二重折り箇所を通し、その直後にオーバーテープを袋の二重折り箇所に被冠する、請求項１〜３のいずれかに記載の多層袋の底部密封方法とした。
【００１５】
また、請求項５の発明は、紙及びプラスチックシートから成る多層袋の底部の密封装置において、筒状の最内側のプラスチックの一端を熱融着により擬似接着する擬似接着装置と、当該擬似接着した箇所を外側から２回折り畳み、当該２重に折り畳まれた箇所及びその裏面をオーバーテープで一体に被冠する、二重折り・オーバーテープバインダー装置との間に、前記擬似接着装置から出てきた袋を、一定間隔を空けながら、多数の多層袋を連続して、前記二重折り・オーバーテープバインダー装置に供給する、タイミング調整器を並べて設け、前記二重折り・オーバーテープバインダー装置において、多層袋の底部の２回目の折り畳み箇所の手前に、折り畳んだ箇所の形状を上から維持する折り曲げガイド片を設け、また、二重折り箇所の形状を維持してオーバーテープのバインド工程に移送する、多層袋の移送と同期して回動する回動ベルトを設け、オーバーテープのバインド工程の直前に、多層袋の二重折り箇所の形状よりやや大きい細孔から成るゲートを設け、これに前記多層袋の二重折り箇所を通す構成とした、多層袋の底部密封装置とした。
【発明の効果】
【００１６】
請求項１の発明によれば、擬似接着装置と二重折り・オーバーテープバインダー装置との間にタイミング調整装置を設けたことにより、多層袋の処理のタイミングが異なるこれらの装置を接続して、多層袋の底部の密封処理を自動的に処理できる。
【００１７】
また、請求項２の発明によれば、多層袋の底部となる一端を一度折り畳んだ箇所の形状を維持したまま、当該箇所を２重折りするため、２重折り箇所の形が崩れずに、均一に形成され、確実に密封処理を行うことができる。
【００１８】
また、請求項３の発明によれば、多層袋の底部となる一端を２重に折り畳んだ箇所を、当該多層袋の移送とは別に、回動ベルトで上下を挟んだ状態で移送するため、当該２重折り畳み部の形状が崩れずにオーバーテープを被冠でき、多層袋の底部の密封が確実となる。
【００１９】
また、請求項４の発明によれば、オーバーテープのバインド直前に、多層袋の２重折り畳み部が通過することができる細孔からなるゲートを通すため、さらに多層袋の２重折り畳み部の形状を維持した状態でオーバーテープをバインドすることができ、多層袋の底部の密封が確実となる。
【００２０】
また、請求項５の発明によれば、前記タイミング調整装置、前記ガイド片、前記回動ベルト、及び細孔から成るゲートを設けているため、多層袋の底部の密封処理をより完全に行うことができる。
【図面の簡単な説明】
【００２１】
【図１】この発明の実施の形態例１の多層袋の底部密封装置の概略正面図である。
【図２】この発明の実施の形態例１の多層袋の底部密封装置における各装置の多層袋の移送状態を示す概略平面図である。
【図３】この発明の実施の形態例１の多層袋の底部密封装置における擬似接着装置の概略正面図である。
【図４】この発明の実施の形態例１の多層袋の底部密封装置における二重折り・オーバーテープバインダー装置の第１回目の折り畳み工程の要部斜視図である。
【図５】この発明の実施の形態例１の多層袋の底部密封装置における二重折り・オーバーテープバインダー装置の第１回目の折り畳み工程の第１要部平面図である。
【図６】この発明の実施の形態例１の多層袋の底部密封装置における二重折り・オーバーテープバインダー装置の第１回目の折り畳み工程の第２要部平面図である。
【図７】（ａ）図〜（ｅ）図は、この発明の実施の形態例１の多層袋の底部密封装置における二重折り・オーバーテープバインダー装置の第１回目の折り畳み工程の各所における袋の折り畳み状態を示す断面図である。
【図８】この発明の実施の形態例１の多層袋の底部密封装置における二重折り・オーバーテープバインダー装置の第２回目の折り畳み工程の要部斜視図である。
【図９】この発明の実施の形態例１の多層袋の底部密封装置における二重折り・オーバーテープバインダー装置の第２回目の折り畳み工程の第１要部平面図である。
【図１０】この発明の実施の形態例１の多層袋の底部密封装置における二重折り・オーバーテープバインダー装置の第２回目の折り畳み工程の第２要部平面図である。
【図１１】（ａ）図〜（ｅ）図は、この発明の実施の形態例１多層袋の底部密封装置における二重折り・オーバーテープラピング装置の第２回目の折り畳み工程の各所における袋の折り畳み状態を示す断面図である。
【図１２】この発明の実施の形態例１の多層袋の底部密封装置における二重折り・オーバーテープバインダー装置の回動ベルトを示す概略正面図である。
【図１３】この発明の実施の形態例１の多層袋の底部密封装置における二重折り・オーバーテープバインダー装置のオーバーテープのバインド工程を示す概略正面図である。
【図１４】図１０における回動ベルトに上下を袋の折り畳み箇所を押圧された状態の袋の断面図である。
【図１５】（ａ）図〜（ｂ）図は、この発明の実施の形態例１の多層袋の底部密封装置における、二重折り・オーバーテープバインダー装置のオーバーテープのバインド工程の各所における袋に対するオーバーテープの被冠状態を示す断面図である。
【図１６】この発明の実施の形態例１の多層袋の底部密封装置を用いて製造される多層袋の斜視図である。
【図１７】この発明の実施の形態例１の多層袋の底部密封装置を用いて製造される多層袋の概略断面図である。
【図１８】この発明の実施の形態例１の多層袋の底部密封装置を用いて製造される多層袋の要部拡大断面図である。
【発明を実施するための形態】
【００２２】
（実施の形態例１）
以下、この発明の実施の形態例１の多層袋の底部密封装置及び方法を図に基づいて説明する。
【００２３】
この多層袋の底部密封装置Ａを使用する多層袋３０は、図１６に示すように、両側部にまち３１を有する袋で、まち３１を折り畳んだ状態で、再内側のプラスチックシート（ここでは後述のポリエチレンシート３０ｄの底部一端を熱融着により擬似接着し、その後、図１７に示すように、袋の底部の一端を２度折り込んで、２重折り畳み部３２を形成し、この２重折り畳み部３２及びその裏面を上からオーバーテープ３３で被冠したもので、これにより底部が密封されるものである。
【００２４】
この多層袋３０の一例を図１８に示す。多層袋３０は最外側から内側に向けて順に、ポリプロピレンを外側に貼ったクラフト紙３０ａ、ポリエチレンシート３０ｂ、クラフト紙３０ｃ、ポリエチレンシート３０ｄの４層の筒体を重ねたものである。また、前記ポリエチレンシートの端部は擬似接着されているため、人が手で引っ張ると容易に接着が剥がれて切れるものである。
【００２５】
図１は多層袋の底部密封装置Ａの概略構成を示す正面図であり、当該底部密封装置Ａは、概略、擬似接着装置１、タイミング調整装置２及び二重折り・オーバーテープバインダー装置３から構成されている。
【００２６】
前記擬似接着装置１は、筒状の紙やプラスチクシートを多層に重ねた最内側のプラスチックの一端を熱融着により擬似接着する装置である。また、前記タイミング調整装置２は、前記擬似接着装置１から順に出てきた多数の多層袋を、一定間隔を空けながら連続して、次の二重折り・オーバーテープバインダー装置３に供給するものである。また、前記二重折り・オーバーテープバインダー装置３は、当該擬似接着した箇所を外側から２回折り畳み、当該２重折り畳み部３２及びその裏面をオーバーテープ３３で一体に被冠するものであり、これにより多層袋３０の底部は密封される。
【００２７】
前記擬似接着装置１、タイミング調整装置２及び二重折り・オーバーテープバインダー装置３はそれぞれ、上面が水平な枠体からなり、図２に示すように、当該枠体２０の一端から他端に、無限軌道からなるチェーン又はベルト２１が間隔をあけて複数設けられ、これらの上を前記多層袋３０が一枚づつ間隔を空けて移送される。また、多層袋３０の底部となる一端３０ｅが各装置の手前の一端（図２では下部）に位置して移送され、前記各装置の密封処理領域２２で後述の密封処理が施される。
【００２８】
そして、前記擬似接着装置１の概略構成を図３により説明する。当該擬似接着装置１上を移送される多層袋３０の底部となる一端の上下に第１ヒーター部４が複数横に並べて設けられ、この上下の第１ヒーター部４によって多層袋３０の内側のポリエチレンシート３０ｂ、３０ｄが熱せられる。また、この第１ヒーター部４に続いて多数のローラから成る第１圧着ローラ部５が設けられている。
【００２９】
前記第１ヒーター部４の箇所を通過した多層袋３０はこの第１圧着ローラ部５により上下を圧着され、最内側の相互に重合したポリエチレンシート３０ｄが擬似接着される。上下の第１圧着ローラ部５の下部の第１圧着ローラ部５は軸が固定され、上部の第１圧着ローラ部５の軸が上下に動き、前記多層袋３０を挟持する。その際、クラフト紙に両側を挟まれたポリエチレンシート３０ｂは熱せられるが熱融着しない。
【００３０】
次に多層袋３０は、前記タイミング調整装置２に移送される。そして、当該タイミング調整装置２において相互に多層袋３０は、前記チェーン又はベルト２１の外面から突出した爪等（図示省略）により、一定間隔を保持されて並べられ、一枚づつ前記二重折り・オーバーテープバインダー装置３に移送される。
【００３１】
前記二重折り・オーバーテープバインダー装置３に移送された多層袋３０は、まず、第１折り畳み部６に移送される。当該第１折り畳み部６は図４及び図７の（ａ）図に示すように、多層袋３０の底部となる一端３０ｅを装置の一端縁３ａから突出しており、その一端縁３ａからやや内側に、底面が板状の第１押さえ具７が前記一端縁３ａに沿って吊りさげられている。また、この第１押さえ具７の底面と装置の表面との間の長さは多層袋３０の厚さよりやや大きい。
【００３２】
そして、当該第１押さえ具７の前部に斜め上向きのガイド７ａを有している。この第１押さえ具７の脇の、前記装置の一端縁３ａは、図５及び図７の（ｂ）図に示すように、前記第１押さえ具７の一端にカーブを描きながら接近し、かつ、上面が端に向かって徐々にせり上がり立縁３ｂを形成している。そして、前記第１押さえ具７の端縁と前記立縁３ｂとの間は狭まり、図６の（ｃ）図に示すように、当該箇所に多層袋３０の前記一端３０ｅが立ち上がった状態で入る。この状態で多層袋３０は一定の長さ移送される。
【００３３】
さらに、前記立縁３ｂは、図６に示すように、その上端が徐々に内側に突出して折り畳まれ、折曲立縁３ｃを形成し、それと同時に前記第１押さえ具７の端縁上面が徐々に薄くなっている。これにより多層袋３０の一端３０ｅは図７の（ｄ）図に示すように、折り畳まれ、続いて図７の（ｅ）図に示すように、多層袋３０の一端３０ｅは完全に折り畳まれた状態となり、折り畳み部３０ｆを形成している。
【００３４】
この様に多層袋３０の一端３０ｅが折り畳み部３０ｆとなった状態で、第２折り畳み部８に移送される。当該第２折り畳み部８は、図８〜図１１に示す様に構成されている。
【００３５】
この第２折り畳み部８は装置の一端縁３´ａの内側に、当該一端縁３´ａに沿って第２押さえ具９が上から吊下げられている。そしてこの第２押さえ具９は、前記第１押さえ具７と異なり、その脇に厚みのある角材から成る補助押さえ９ａを延設し、下方への押さえ力を強固にしている。また、この第２押さえ具９及び補助押さえ具９ａの底面と装置の表面との間の幅は多層袋３０の厚さよりやや大きい。
【００３６】
また、この第２押さえ具９の補助押さえ９ａの脇から折り曲げガイド片１０が突出し、当該折り曲げガイド片１０の先端は、図９及び図１１の（ａ）図に示すように、装置の一端縁３´ａより外方まで突出している。また、この折り曲げガイド片１０の前端は斜め上向きのガイド部１０ａを有しており、その後端は前記補助押さえ９ａに向けて斜めに切り欠いているとともにやや上方に傾いた傾斜部１０ｂとなっている。
【００３７】
また、この折り曲げガイド片１０の傾斜部１０ｂに対向した装置の一端部３´ａは図８、図９及び図１１の（ｂ）図に示すように、前記第２押さえ具９の補助押さえ９ａの一端にカーブを描きながら接近し、かつ、上面が端に向かって徐々にせり上がり、立縁３´ｂを形成している。そして、さらに立縁３´ｂは、前記補助押さえ９ａの端縁との間隔が狭まり、図１１の（ｃ）図に示すように、当該箇所に多層袋３０の折り畳み部３０ｆが立ち上がった状態で入る。
【００３８】
さらに、前記立縁３´ｂは、その上端が徐々に内側に突出して折り畳まれ、図１０及び図１１の（ｄ）図に示すように、折曲立縁３´ｃを形成し、それと同時に前記第２押さえ具９の補助押さえ９ａの端縁上面が徐々に薄くなっている。これにより多層袋３０の折り畳み部３０ｆは図１１の（ｄ）図に示すように、折り畳まれ、さらに、図１１の（ｅ）図に示すように、多層袋３０の一端３０ｅは完全に２重に折り畳まれた状態となり、２重折り畳み部３２を形成する。
【００３９】
この様に２重折り畳み部３２を有する多層袋３０は次の密封処理を行うオーバーテープバインダー部１１に移送されるが、その移送は、図１２に示すように、上下の回動ベルト１２に、２重折り畳み部３２が挟持された状態で移送される。この上下の回動ベルト１２は無限軌道状のもので、上部又は下部のローラ１２ａ又は１２ｂの内、上部ローラ１２ａが上下方向に移動自在であり、図１４に示すように、多層袋３０の前記２重折り畳み部３２を上下から挟持しながら、多層袋３０の前記チェーン又はベルト２１の移動速度に同期して動くものである。これにより２重折り畳み部３２はその形状を確実に維持されて移送される。
【００４０】
そして、オーバーテープバインダー部１１には、図１３及び図１５の（ａ）図に示すように、オーバーテープ３３を長手方向に沿った中央部で折り曲げるオーバーテープガイド体１３が設けられ、その後に、バインダー体１４を通過することにより、多層袋３０の２重折り畳み部３２及びその裏面はオーバーテープ３３で被冠されるが、その直前の多層袋３０の２重折り畳み部３２は水平な細孔を有するゲート１５を通過し、その直後にバインダー体１４でオーバーテープ３３に被冠される。
【００４１】
そして、オーバーテープ３３を被冠した多層袋３０の２重折り畳み部３２は上下に設けた第２ヒーター部１６の間を通過して熱せられ、この状態で、第２押圧ローラ部１７により圧着され、図１５の（ｂ）図に示すように、オーバーテープ３３は前記２重折り畳み部３２に接着する。
【００４２】
この様にして、オーバーテープ３３に２重折り畳み部３２を被冠された多層袋３０の底部は密封される。
【００４３】
なお、この多層袋の底部密封装置Ａの対象となる多層袋は、前記図１６〜図１８の多層袋３０に限定されるものではない。他の構成から成る多層袋にも適用できる。
【００４４】
また、上記擬似接着装置１及び二重折り・オーバーテープバインダー装置の構成を種々示したが、これらの装置は前記実施の形態例に示すものに限定されない。他の構成によるものでも良い。
【符号の説明】
【００４５】
Ａ      多層袋の底部密封装置
１      擬似接着装置            ２      タイミング調整装置
３      二重折り・オーバーテープバインダー装置
３ａ    一端縁                  ３ｂ    立縁
３ｃ    折曲立縁                ３´ａ  一端縁
３´ｂ  立縁                    ３´ｃ  折曲立縁
４      第１ヒーター部          ５      第１圧着ローラ部
６      第１折り畳み部          ７      第１押さえ具
７ａ    ガイド                  ８      第２折り畳み部
９      第２押さえ具            ９ａ    補助押さえ
１０    折り曲げガイド片        １０ａ  ガイド部
１０ｂ  傾斜部                  １１    オーバーテープバインダー部
１２    回動ベルト              １２ａ  上部ベルト
１２ｂ  下部ベルト              １３    オーバーテープガイド体
１４    小バインダー            １５    ゲート
１６    第２ヒーター部          １７    第２押圧ローラ
２０    枠体                    ２１    チェーン又はベルト
２２    密封処理領域            ３０    多層袋
３０ａ  ポリプロピレン付きクラフト紙    
３０ｂ  ポリエチレンシート      ３０ｃ  クラフト紙  
３０ｄ  ポリエチレンシート      ３０ｅ  一端      
３０ｆ  折り畳み部              ３１    まち  
３２    ２重折り畳み部          ３３    オーバーテープ
【図１】
2020152065.tif 000003
【図２】
2020152065.tif 000004
【図３】
2020152065.tif 000005
【図４】
2020152065.tif 000006
【図５】
2020152065.tif 000007
【図６】
2020152065.tif 000008
【図７】
2020152065.tif 000009
【図８】
2020152065.tif 000010
【図９】
2020152065.tif 000011
【図１０】
2020152065.tif 000012
【図１１】
2020152065.tif 000013
【図１２】
2020152065.tif 000014
【図１３】
2020152065.tif 000015
【図１４】
2020152065.tif 000016
【図１５】
2020152065.tif 000017
【図１６】
2020152065.tif 000018
【図１７】
2020152065.tif 000019
【図１８】
2020152065.tif 000020